(57)【特許請求の範囲】
【請求項１】
複数の発光ダイオードを実装した基板から成る交換式の光源部と、これらの発光ダイオードの光を集光する集光手段と、集光された光を照射部まで導くライトガイドと、前記光源部の発光量を制御する制御部を備えた電子部品照明装置であって、前記光源部に照明光の種類や発光量に応じて電流や電圧を設定する設定手段を備え、前記制御部にこの設定手段による設定結果を検出する検出手段を備えたことを特徴とする電子部品照明装置。
【発明の詳細な説明】
【０００１】
【発明の属する技術分野】
本発明は、電子部品の観察に使用される電子部品照明装置に関するものである。
【０００２】
【従来の技術】
半導体素子などの電子部品をカメラにより画像認識する際や、顕微鏡によって目視観察する際などには、明瞭な視野を得るため観察対象物である電子部品を照明する必要がある。この照明手段として電子部品照明装置が用いられる。電子部品照明装置は、ユニット式の光源部からフレキシブルな光ファイバーなどより成るライトガイドによって光を導き、ライトガイドの先端に装着される照射部から対象物に光を照射するものである。従来より電子部品照明装置用の光源部には、発光体としてハロゲンランプが多用されている。
【０００３】
【発明が解決しようとする課題】
しかしながら、従来の電子部品照明装置では、ハロゲンランプを光源として用いることに起因して以下のような問題点があった。まず、ハロゲンランプのオンオフ時に、実際に照明光が明滅するまでに１〜２秒を要し、応答性が悪いことである。このため従来の電子部品照明装置は、高速性が要求される基板の外観検査装置やチップマウンタなどでは使用することができなかった。またハロゲンランプは発熱量が大きく光に変換されるエネルギの割合が少ないため、必要な照明光を得るための消費電力が大きく、さらにはランプ寿命が短い、など種々の問題点があった。
【０００４】
そこで本発明は、オンオフ時の応答性がよく、低消費電力でしかも長寿命の電子部品照明装置を提供することを目的とする。
【０００５】
【課題を解決するための手段】
請求項１記載の電子部品照明装置は、複数の発光ダイオードを実装した基板から成る交換式の光源部と、これらの発光ダイオードの光を集光する集光手段と、集光された光を照射部まで導くライトガイドと、前記光源部の発光量を制御する制御部を備え、前記光源部に照明光の種類や発光量に応じて電流や電圧を設定する設定手段を備え、前記制御部にこの設定手段による設定結果を検出する検出手段を備えた。
【０００７】
【発明の実施の形態】
次に本発明の実施の形態を図面を参照して説明する。図１は本発明の一実施の形態の電子部品照明装置の斜視図、図２は同電子部品照明装置の断面図、図３は同電子部品照明装置の回路図である。まず図１を参照して電子部品照明装置の構成を説明する。図１に示すように、電子部品照明装置は、本体部１、ライトガイド２およびライトガイド２の先端に装着される照射部３より構成される。本体部１は光源を内蔵しており、照明光を発生する。発生した光はライトガイド２によって照射部３に導かれる。照射部３は、図１の例ではカメラ４の鏡筒５の先端部に装着され、本体部１の光源で発生した照明光はライトガイド２によって照射部３まで導かれて基板６上の電子部品７を照明する。
【０００８】
次に図２を参照して本体部１について説明する。図２において、本体部１のケース１０内には、ソケット１１が配設されている。ソケット１１には、光源部である発光ダイオード（以下、「ＬＥＤ」と略記する）基板２０が嵌着される。ＬＥＤ基板２０は発光体として、マトリクス状に実装された複数のＬＥＤ２１を備えている。ソケット１１は制御部３０と接続されており、ＬＥＤ基板２０をソケット１１に嵌着することによりＬＥＤ基板２０の所定の端子が制御部３０と電気回路で接続される。
【０００９】
ケース１０内にはブラケット１２が立設されており、ブラケット１２には複数の光ファイバ１３が貫通して保持されている。光ファイバ１３の先端部にはそれぞれ集光レンズ１４が装着されており、集光レンズ１４はそれぞれのＬＥＤ２１の位置に対応して配置されている。ＬＥＤ２１が発光すると、光は集光レンズ１４によって収束され、光ファイバ１３内へ導かれる。光ファイバ１３の反対側の端部は結束されてブラケット１５に保持されている。
【００１０】
ブラケット１５の前面にはレンズ１６が配設されている。光ファイバ１３によって導かれたＬＥＤ２１の光は、レンズ１６によって更に集光されてライトガイド２の光ファイバ１８に伝達される。したがって、レンズ１４、光ファイバ１３およびレンズ１６はＬＥＤ２１の光を集光する集光手段となっている。なお、集光手段としては、複数の光ファイバ１３全体で１つの大型の集光レンズを用いる方法や、またはレンズ１４を用いずにそれぞれのＬＥＤ２１を特定方向に指向させて配置し、発生した光を光ファイバ１３に集中させる方法でもよい。
【００１１】
またケース１０の前面部にはライトガイド２のソケット１７が設けられている。ケース１０の前面のダイヤル３１は光量調節用の可変抵抗器である。スイッチ３３を切替えることにより、制御部３０への光量制御入力が切替えられ、ダイヤル３１による手動調節または外部入力３２による自動調節の使い分けを行うことができる。
【００１２】
次に図３を参照して電子部品照明装置の電気回路について説明する。図３において、ＬＥＤ基板２０上には複数のＬＥＤ２１の回路（本実施の形態では５回路）が設けられている。１つのＬＥＤ回路には複数のＬＥＤ２１（本実施の形態では６個）が直列に接続されている。それぞれのＬＥＤ回路の一端は抵抗器２２を介して端子列２３に接続されており、他端は端子列２４に接続されている。またＬＥＤ基板２０には、電圧設定タップ２６および電流設定タップ２８が設けられている。電圧設定タップ２６の設定針２６ａおよび電流設定タップ２８の設定針２８ａを調整することにより、制御電源端子２５は端子列２７のいずれかと、また端子２９列のいずれかと導通する。
【００１３】
ソケット１１には端子列２３および端子列２４と対応して端子列４３、端子列４４が設けられている。端子列４３は電源部３４と、端子列４４は定電流ドライバ３５とそれぞれ接続されている。ＬＥＤ基板２０をソケット１１に嵌着することにより、端子列２３は端子列４３と、端子列２４は端子列４４とそれぞれ導通する。これによりそれぞれのＬＥＤ２１には電源部３４より発光電流が送られる。電源部３４と定電流ドライバ３５を制御部３０によって制御することにより、それぞれのＬＥＤ２１を流れる電流と電圧がＬＥＤ基板２０の種類に応じて、すなわちＬＥＤ基板２０に実装されたＬＥＤ２１の種類や個数によって制御される。
【００１４】
ソケット１１には端子２５と対応して端子３５が設けられており、端子３５は電源部３４の制御電源と接続されている。また端子列２７および端子列２９と対応してそれぞれ端子列３７、端子列３９が設けられている。端子列３７、端子列３９はそれぞれ制御部３０の端子列４５、端子列４６と接続されている。電圧設定タップ２６の設定針２６ａおよび電流設定タップ２８の設定針２８ａをそれぞれいずれかの設定位置に合わせた状態でＬＥＤ基板２０をソケット１１に嵌着すると、制御電源端子３５は電圧設定タップ２６および電流設定タップ３８を介して制御部３０の端子列４５のうちのいずれかの端子、および端子列４６のうちのいずれかの端子と導通する。
【００１５】
したがって電圧設定タップ２６および電流設定タップ２８の設定位置と制御部３０の端子列４５、端子列４６を対応させることにより、制御部３０によって電圧設定タップ２６および電流設定タップ２８の設定位置を検出することができる。すなわち、制御部３０は設定手段である電圧設定タップ２６および電流設定タップ２８の設定結果に基いて光源部であるＬＥＤ基板２０の種類を検出する検出手段となっている。
【００１６】
なお、検出手段として、本実施の形態では端子の電気的な導通による方法を用いているが、要はＬＥＤ基板２０をソケット１１に嵌着することによってＬＥＤ基板２０の種類を特定できればよいのであって、これ以外の方法、例えばＬＥＤ基板２０の種類に応じた特定部分に切り欠きを設け、ソケット１１に嵌着した状態でこの切り欠きをセンサで検出してＬＥＤ基板２０の種類を特定する方法であってもよい。
【００１７】
ＬＥＤ基板２０はフォトダイオード４１を備えており、フォトダイオード４１はＬＥＤ２１が発する光を検出する。検出された電気信号は端子４２を介して制御部３０にフィードバックされ、このフィードバックに基きＬＥＤ２１の発光量が制御される。
【００１８】
この電子部品照明装置は上記のように構成されており、以下その使用方法について説明する。まず発光色や光量など用途に応じて異なるＬＥＤ２１が実装されたＬＥＤ基板２０の中から必要とされるＬＥＤ基板２０を選択し、電圧設定タップ２６および電流設定タップ２８をＬＥＤ２１の種類に対応した設定条件に設定する。電圧設定タップ２６および電流設定タップ２８の設定は１度行った後は固定されるので、以降はＬＥＤ基板２０の交換時に再設定を行う必要がない。
【００１９】
次にＬＥＤ基板２０をソケット１１に嵌着する。これにより電圧設定タップ２６および電流設定タップ２８の設定に応じて制御部３０の端子列４５、端子列４６のそれぞれのいずれかの端子に制御電流が流れる。制御部３０はこれらの端子列のどの端子に制御電流が流れたか、によって光源部であるＬＥＤ基板２０の種類を特定して検出する。制御部３０はこの検出結果に従って電源部３４および定電流ドライバ３５を制御する。これによりＬＥＤ２１はそれぞれの種類に応じた適正な電流、電圧条件で発光する。これらのＬＥＤ２１より発せられた光はレンズ１４、グラスファイバ１３、レンズ１６、およびライトガイド２を介して照射部３まで導かれ、対象物に照射される。
【００２０】
【発明の効果】
本発明によれば、光源の光源部としてＬＥＤを使用しているので、オンオフ時の応答性が良く、従来のハロゲンランプを使用したものと比較して長寿命で、しかも消費電力が少ない電子部品照明装置を実現することができる。また光源部を種類に応じて交換式の基板とし、光源部の種類に応じて設定された電流・電圧などの設定条件を検出手段により自動的に検出するようにしているので、光源部をソケットに嵌着するのみで適正な電流・電圧条件自動的に選択され、したがって光源部の交換の都度電流や電圧を調整する必要がない。
【図面の簡単な説明】
【図１】本発明の一実施の形態の電子部品照明装置の斜視図
【図２】本発明の一実施の形態の電子部品照明装置の断面図
【図３】本発明の一実施の形態の電子部品照明装置の回路図
【符号の説明】
１  本体部
２  ライトガイド
３  照射部
１１  ソケット
１３  光ファイバ
１４  集光レンズ
２０  ＬＥＤ基板
２１  ＬＥＤ
２６  電圧設定タップ
２８  電流設定タップ
３０  制御部
３４  電源
３５  定電流ドライバ
【図１】
0003702613.tif 000002
【図２】
0003702613.tif 000003
【図３】
0003702613.tif 000004